(57)【要約】  本開示の態様は、リモートラジオヘッド（ＲＲＨ）およびＵＥリレーなど、ノードの比較的密な展開を用いたネットワークにおいて利用され得る技法に関する。【選択図】      図９
2015519815.tif 000002
【特許請求の範囲】
【請求項１】
マクロノードと１つまたは複数の他のタイプのノードとを有するセルのクラスタに属するノードによるワイヤレス通信のための方法であって、
前記クラスタ内の前記ノードを一意に識別する３次同期信号（ＴＳＳ）を送信すること、なお、前記クラスタが１次同期信号（ＰＳＳ）と２次同期信号（ＳＳＳ）とによって識別される、
を備える、方法。
【請求項２】
前記ＰＳＳおよびＳＳＳを送信することをさらに備える、請求項１に記載の方法。
【請求項３】
前記ＰＳＳおよびＳＳＳは、第１の能力をもつ第１のタイプのＵＥが前記クラスタを識別することを可能にし、
前記ＰＳＳ、ＳＳＳ、およびＴＳＳは、第２のタイプのＵＥが、前記クラスタを識別し、前記ノードを一意に識別することを可能にする、請求項１に記載の方法。
【請求項４】
前記ＴＳＳは、ユーザ機器（ＵＥ）が前記ＴＳＳから前記ＰＳＳおよびＳＳＳを判断し得るように、前記ＰＳＳおよびＳＳＳにリンクされる、請求項１に記載の方法。
【請求項５】
前記ＴＳＳが、ＰＳＳおよびＳＳＳの関数であるスクランブリングコードを用いて生成される、請求項４に記載の方法。
【請求項６】
前記クラスタ中の異なるノードが、異なる周期性でそれぞれのＴＳＳを送信する、請求項１に記載の方法。
【請求項７】
ＴＳＳがＰＳＳおよびＳＳＳよりも低い頻度で送信される、請求項１に記載の方法。
【請求項８】
ＴＳＳを送信することが、イベントを検出することを条件とする、請求項１に記載の方法。
【請求項９】
前記イベントが、ユーザ機器（ＵＥ）から送信された信号を検出することを備える、請求項１に記載の方法。
【請求項１０】
異なるノードが、異なる時間リソースまたは異なる周波数リソースのうちの少なくとも１つを使用してそれらのそれぞれのＴＳＳを送信する、請求項１に記載の方法。
【請求項１１】
特定のノードは、
前記ＴＳＳを送信するために使用される周波数リソースおよび／または時間リソースのロケーション、
使用される特定のシーケンス、
他のノードにとって利用可能な共通シーケンスのシフト、
前記ＴＳＳを生成する際に使用されるスクランブリングコード、
前記ＴＳＳを送信するためにどのアンテナポートが使用されるか、または
ＴＳＳを送信するために使用されるアンテナポートの密度
のうちの少なくとも１つによって一意に識別される、請求項１に記載の方法。
【請求項１２】
マクロノードと１つまたは複数の他のタイプのノードとを有するセルのクラスタ内のユーザ機器（ＵＥ）によるワイヤレス通信のための方法であって、
３次同期信号（ＴＳＳ）を検出することと、なお、前記クラスタが１次同期信号（ＰＳＳ）と２次同期信号（ＳＳＳ）とによって識別される、
前記ＴＳＳを送信した前記クラスタ内のノードを識別することと
を備える、方法。
【請求項１３】
前記ＰＳＳおよびＳＳＳを受信することと、
前記ＰＳＳおよびＳＳＳに基づいて前記クラスタを識別することと
をさらに備える、請求項１２に記載の方法。
【請求項１４】
前記ＰＳＳおよびＳＳＳは、第１の能力をもつ第１のタイプのＵＥが前記クラスタを識別することを可能にし、
前記ＰＳＳ、ＳＳＳ、およびＴＳＳは、第２のタイプのＵＥが、前記クラスタを識別し、前記ノードを一意に識別することを可能にする、請求項１２に記載の方法。
【請求項１５】
前記ＴＳＳから前記ＰＳＳおよびＳＳＳを判断すること
をさらに備える、請求項１２に記載の方法。
【請求項１６】
前記ＴＳＳが、ＰＳＳおよびＳＳＳの関数であるスクランブリングコードを用いて生成される、請求項１５に記載の方法。
【請求項１７】
前記クラスタ中の異なるノードが、異なる周期性でそれぞれのＴＳＳを送信する、請求項１２に記載の方法。
【請求項１８】
ＴＳＳがＰＳＳおよびＳＳＳよりも低い頻度で送信される、請求項１２に記載の方法。
【請求項１９】
異なるノードが、異なる時間リソースまたは異なる周波数リソースのうちの少なくとも１つを使用してそれらのそれぞれのＴＳＳを送信する、請求項１２に記載の方法。
【請求項２０】
前記ＵＥは、
前記ＴＳＳを送信するために使用される周波数リソースおよび／または時間リソースのロケーション、
使用される特定のシーケンス、
他のノードにとって利用可能な共通シーケンスのシフト、
前記ＴＳＳを生成する際に使用されるスクランブリングコード、
前記ＴＳＳを送信するためにどのアンテナポートが使用されるか、または
ＴＳＳを送信するために使用されるアンテナポートの密度
のうちの少なくとも１つによって前記ノードを一意に識別する、請求項１２に記載の方法。
【請求項２１】
前記ＴＳＳに基づく基準信号受信電力（ＲＳＲＰ）測定、または
前記ＴＳＳに基づく経路損失（ＰＬ）測定
のうちの少なくとも１つを実行することをさらに備える、請求項１２に記載の方法。
【請求項２２】
マクロノードと１つまたは複数の他のタイプのノードとを有するセルのクラスタに属するノードによるワイヤレス通信のための方法であって、
ユーザ機器（ＵＥ）とのランダムアクセスチャネル（ＲＡＣＨ）プロシージャの少なくとも一部分に参加することと、
前記ＲＡＣＨプロシージャの前記一部分中に取得された能力情報に基づいて、前記クラスタ中の他のタイプのノードを検出し、それと通信する前記ＵＥの能力を判断することと
を備える、方法。
【請求項２３】
前記判断に基づいて前記ＵＥと自律的に通信することをさらに備える、請求項２２に記載の方法。
【請求項２４】
前記能力情報が、前記ＵＥによって送信されるＭｓｇ１メッセージ中で搬送される、請求項２２に記載の方法。
【請求項２５】
前記能力情報が、前記ＵＥによって送信されるＭｓｇ３メッセージ中で搬送される、請求項２２に記載の方法。
【請求項２６】
前記ＲＡＣＨプロシージャ中に受信された検出Ｍｓｇ１メッセージに関する情報を前記マクロノードに送信すること
をさらに備える、請求項２２に記載の方法。
【請求項２７】
ＲＡＣＨフォーマットが、６つのリソースブロック（ＲＢ）よりも狭い帯域幅を有する、請求項２２に記載の方法。
【請求項２８】
マクロノードと１つまたは複数の他のタイプのノードとを有するセルのクラスタ内のユーザ機器（ＵＥ）によるワイヤレス通信のための方法であって、
前記クラスタ中の前記他のタイプのノードのうちの１つとのランダムアクセスチャネル（ＲＡＣＨ）プロシージャの少なくとも一部分に参加することと、
前記ＲＡＣＨプロシージャの前記一部分中に、前記クラスタ中の他のタイプのノードを検出し、それと通信する前記ＵＥの能力を搬送することと
を備える、方法。
【請求項２９】
前記能力情報が、前記ＵＥによって送信されるＭｓｇ１メッセージ中で搬送される、請求項２８に記載の方法。
【請求項３０】
前記能力情報が、前記ＵＥによって送信されるＭｓｇ３メッセージ中で搬送される、請求項２８に記載の方法。
【請求項３１】
ＲＡＣＨフォーマットが、６つのリソースブロック（ＲＢ）よりも狭い帯域幅を有する、請求項２８に記載の方法。
【請求項３２】
マクロノードと１つまたは複数の他のタイプのノードとを有するセルのクラスタに属するノードによるワイヤレス通信のための装置であって、
前記クラスタ内の前記ノードを一意に識別する３次同期信号（ＴＳＳ）を送信するための手段、なお、前記クラスタが１次同期信号（ＰＳＳ）と２次同期信号（ＳＳＳ）とによって識別される、
を備える、装置。
【請求項３３】
マクロノードと１つまたは複数の他のタイプのノードとを有するセルのクラスタ内のユーザ機器（ＵＥ）によるワイヤレス通信のための装置であって、
３次同期信号（ＴＳＳ）を検出するための手段と、前記クラスタが１次同期信号（ＰＳＳ）と２次同期信号（ＳＳＳ）とによって識別される、
前記ＴＳＳを送信した前記クラスタ内のノードを識別するための手段と
を備える、装置。
【請求項３４】
マクロノードと１つまたは複数の他のタイプのノードとを有するセルのクラスタに属するノードによるワイヤレス通信のための装置であって、
ユーザ機器（ＵＥ）とのランダムアクセスチャネル（ＲＡＣＨ）プロシージャの少なくとも一部分に参加するための手段と、
前記ＲＡＣＨプロシージャの前記一部分中に取得された能力情報に基づいて、前記クラスタ中の他のタイプのノードを検出し、それと通信する前記ＵＥの能力を判断するための手段と
を備える、装置。
【請求項３５】
マクロノードと１つまたは複数の他のタイプのノードとを有するセルのクラスタ内のユーザ機器（ＵＥ）によるワイヤレス通信のための装置であって、
前記クラスタ中の前記他のタイプのノードのうちの１つとのランダムアクセスチャネル（ＲＡＣＨ）プロシージャの少なくとも一部分に参加するための手段と、
前記ＲＡＣＨプロシージャの前記一部分中に、前記クラスタ中の他のタイプのノードを検出し、それと通信する前記ＵＥの能力を搬送するための手段と
を備える、装置。
【請求項３６】
マクロノードと１つまたは複数の他のタイプのノードとを有するセルのクラスタに属するノードによるワイヤレス通信のための装置であって、
前記クラスタ内の前記ノードを一意に識別する３次同期信号（ＴＳＳ）を送信することを行うように構成された少なくとも１つのプロセッサと、なお、前記クラスタが１次同期信号（ＰＳＳ）と２次同期信号（ＳＳＳ）とによって識別される、
前記少なくとも１つのプロセッサに結合されたメモリと
を備える、装置。
【請求項３７】
マクロノードと１つまたは複数の他のタイプのノードとを有するセルのクラスタ内のユーザ機器（ＵＥ）によるワイヤレス通信のための装置であって、
３次同期信号（ＴＳＳ）を検出することと、なお、前記クラスタが１次同期信号（ＰＳＳ）と２次同期信号（ＳＳＳ）とによって識別される、前記ＴＳＳを送信した前記クラスタ内のノードを識別することとを行うように構成された少なくとも１つのプロセッサと、
前記少なくとも１つのプロセッサに結合されたメモリと
を備える、装置。
【請求項３８】
マクロノードと１つまたは複数の他のタイプのノードとを有するセルのクラスタに属するノードによるワイヤレス通信のための装置であって、
ユーザ機器（ＵＥ）とのランダムアクセスチャネル（ＲＡＣＨ）プロシージャの少なくとも一部分に参加することと、前記ＲＡＣＨプロシージャの前記一部分中に取得された能力情報に基づいて、前記クラスタ中の他のタイプのノードを検出し、それと通信する前記ＵＥの能力を判断することとを行うように構成された少なくとも１つのプロセッサと、
前記少なくとも１つのプロセッサに結合されたメモリと
を備える、装置。
【請求項３９】
マクロノードと１つまたは複数の他のタイプのノードとを有するセルのクラスタ内のユーザ機器（ＵＥ）によるワイヤレス通信のための装置であって、
前記クラスタ中の前記他のタイプのノードのうちの１つとのランダムアクセスチャネル（ＲＡＣＨ）プロシージャの少なくとも一部分に参加することと、前記ＲＡＣＨプロシージャの前記一部分中に、前記クラスタ中の他のタイプのノードを検出し、それと通信する前記ＵＥの能力を搬送することとを行うように構成された少なくとも１つのプロセッサと、
前記少なくとも１つのプロセッサに結合されたメモリと
を備える、装置。
【請求項４０】
マクロノードと１つまたは複数の他のタイプのノードとを有するセルのクラスタに属するノードによるワイヤレス通信のためのプログラム製品であって、
前記クラスタ内の前記ノードを一意に識別する３次同期信号（ＴＳＳ）を送信すること、なお、前記クラスタが１次同期信号（ＰＳＳ）と２次同期信号（ＳＳＳ）とによって識別される、
を行うための命令を記憶したコンピュータ可読媒体を備える、プログラム製品。
【請求項４１】
マクロノードと１つまたは複数の他のタイプのノードとを有するセルのクラスタ内のユーザ機器（ＵＥ）によるワイヤレス通信のためのプログラム製品であって、
３次同期信号（ＴＳＳ）を検出することと、なお、前記クラスタが１次同期信号（ＰＳＳ）と２次同期信号（ＳＳＳ）とによって識別される、
前記ＴＳＳを送信した前記クラスタ内のノードを識別することと
を行うための命令を記憶したコンピュータ可読媒体を備える、プログラム製品。
【請求項４２】
マクロノードと１つまたは複数の他のタイプのノードとを有するセルのクラスタに属するノードによるワイヤレス通信のためのプログラム製品であって、
ユーザ機器（ＵＥ）とのランダムアクセスチャネル（ＲＡＣＨ）プロシージャの少なくとも一部分に参加することと、
前記ＲＡＣＨプロシージャの前記一部分中に取得された能力情報に基づいて、前記クラスタ中の他のタイプのノードを検出し、それと通信する前記ＵＥの能力を判断することと
を行うための命令を記憶したコンピュータ可読媒体を備える、プログラム製品。
【請求項４３】
マクロノードと１つまたは複数の他のタイプのノードとを有するセルのクラスタ内のユーザ機器（ＵＥ）によるワイヤレス通信のためのプログラム製品であって、
前記クラスタ中の前記他のタイプのノードのうちの１つとのランダムアクセスチャネル（ＲＡＣＨ）プロシージャの少なくとも一部分に参加することと、
前記ＲＡＣＨプロシージャの前記一部分中に、前記クラスタ中の他のタイプのノードを検出し、それと通信する前記ＵＥの能力を搬送することと
を行うための命令を記憶したコンピュータ可読媒体を備える、プログラム製品。
【発明の詳細な説明】
【技術分野】
【０００１】
関連出願の相互参照
[0001]本出願は、その全体が参照により本明細書に明確に組み込まれる、２０１２年４月２７日に出願された米国仮出願第６１／６３９，７０６号の優先権の利益を主張する。
【０００２】
[0002]本開示のいくつかの実施形態は、一般にワイヤレス通信に関し、より詳細には、日和見的リレーをアクティブ化するための技法に関する。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ：Long Term Evolution）システム、および直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力信号出力または多入力多出力（ＭＩＭＯ）システムを介して確立され得る。
【０００５】
[0005]いくつかのシステムは、ドナー基地局とワイヤレス端末との間のメッセージを中継するリレー基地局を利用し得る。リレー基地局は、バックホール（backhaul）リンクを介してドナー基地局と通信し、アクセスリンクを介して端末と通信し得る。言い換えれば、リレー基地局は、バックホールリンクを介してドナー基地局からダウンリンクメッセージを受信し、アクセスリンクを介してこれらのメッセージを端末に中継し得る。同様に、リレー基地局は、アクセスリンクを介して端末からアップリンクメッセージを受信し、バックホールリンクを介してこれらのメッセージをドナー基地局に中継し得る。
【発明の概要】
【０００６】
[0006]本開示のいくつかの態様は、マクロノードと１つまたは複数の他のタイプのノードとを有するセルのクラスタに属するノードによるワイヤレス通信のための方法を提供する。本方法は、概して、クラスタ内のノードを一意に識別する３次同期信号（ＴＳＳ：tertiary synchronization signal）を送信することであって、クラスタが１次同期信号（ＰＳＳ：primary synchronization signal）と２次同期信号（ＳＳＳ：secondary synchronization signal）とによって識別される、送信することを含む。
【０００７】
[0007]本開示のいくつかの態様は、マクロノードと１つまたは複数の他のタイプのノードとを有するセルのクラスタ内のユーザ機器（ＵＥ）によるワイヤレス通信のための方法を提供する。本方法は、概して、３次同期信号（ＴＳＳ）を検出することであって、クラスタが１次同期信号（ＰＳＳ）と２次同期信号（ＳＳＳ）とによって識別される、検出することと、ＴＳＳを送信したクラスタ内のノードを識別することとを含む。
【０００８】
[0008]本開示のいくつかの態様は、マクロノードと１つまたは複数の他のタイプのノードとを有するセルのクラスタに属するノードによるワイヤレス通信のための方法を提供する。本方法は、概して、ユーザ機器（ＵＥ）とのランダムアクセスチャネル（ＲＡＣＨ）プロシージャの少なくとも一部分に参加することと、ＲＡＣＨプロシージャの一部分中に取得された能力情報に基づいて、クラスタ中の他のタイプのノードを検出し、それと通信するＵＥの能力を判断することとを含む。
【０００９】
[0009]本開示のいくつかの態様は、マクロノードと１つまたは複数の他のタイプのノードとを有するセルのクラスタ内のユーザ機器（ＵＥ）によるワイヤレス通信のための方法を提供する。本方法は、概して、クラスタ中の他のタイプのノードのうちの１つとのランダムアクセスチャネル（ＲＡＣＨ）プロシージャの少なくとも一部分に参加することと、ＲＡＣＨプロシージャの一部分中に、クラスタ中の他のタイプのノードを検出し、それと通信するＵＥの能力を搬送することとを含む。
【００１０】
[0010]本開示のいくつかの態様は、マクロノードと１つまたは複数の他のタイプのノードとを有するセルのクラスタに属するノードによるワイヤレス通信のための装置を提供する。本装置は、概して、クラスタ内のノードを一意に識別する３次同期信号（ＴＳＳ）を送信するための手段であって、クラスタが１次同期信号（ＰＳＳ）と２次同期信号（ＳＳＳ）とによって識別される、送信するための手段を含む。
【００１１】
[0011]本開示のいくつかの態様は、マクロノードと１つまたは複数の他のタイプのノードとを有するセルのクラスタ内のユーザ機器（ＵＥ）によるワイヤレス通信のための装置を提供する。本装置は、概して、３次同期信号（ＴＳＳ）を検出するための手段であって、クラスタが１次同期信号（ＰＳＳ）と２次同期信号（ＳＳＳ）とによって識別される、検出するための手段と、ＴＳＳを送信したクラスタ内のノードを識別するための手段とを含む。
【００１２】
[0012]本開示のいくつかの態様は、マクロノードと１つまたは複数の他のタイプのノードとを有するセルのクラスタに属するノードによるワイヤレス通信のための装置を提供する。本装置は、概して、ユーザ機器（ＵＥ）とのランダムアクセスチャネル（ＲＡＣＨ）プロシージャの少なくとも一部分に参加するための手段と、ＲＡＣＨプロシージャの一部分中に取得された能力情報に基づいて、クラスタ中の他のタイプのノードを検出し、それと通信するＵＥの能力を判断するための手段とを含む。
【００１３】
[0013]本開示のいくつかの態様は、マクロノードと１つまたは複数の他のタイプのノードとを有するセルのクラスタ内のユーザ機器（ＵＥ）によるワイヤレス通信のための装置を提供する。本装置は、概して、クラスタ中の他のタイプのノードのうちの１つとのランダムアクセスチャネル（ＲＡＣＨ）プロシージャの少なくともの一部分に参加するための手段と、ＲＡＣＨプロシージャの一部分中に、クラスタ中の他のタイプのノードを検出し、それと通信するＵＥの能力を搬送するための手段とを含む。
【００１４】
[0014]本開示のいくつかの態様は、マクロノードと１つまたは複数の他のタイプのノードとを有するセルのクラスタに属するノードによるワイヤレス通信のための装置を提供する。本装置は、概して、クラスタ内のノードを一意に識別する３次同期信号（ＴＳＳ）を送信することであって、クラスタが１次同期信号（ＰＳＳ）と２次同期信号（ＳＳＳ）とによって識別される、送信することを行うように構成された少なくとも１つのプロセッサと、少なくとも１つのプロセッサに結合されたメモリとを含む。
【００１５】
[0015]本開示のいくつかの態様は、マクロノードと１つまたは複数の他のタイプのノードとを有するセルのクラスタ内のユーザ機器（ＵＥ）によるワイヤレス通信のための装置を提供する。本装置は、概して、３次同期信号（ＴＳＳ）を検出することであって、クラスタが１次同期信号（ＰＳＳ）と２次同期信号（ＳＳＳ）とによって識別される、検出することと、ＴＳＳを送信したクラスタ内のノードを識別することとを行うように構成された少なくとも１つのプロセッサと、少なくとも１つのプロセッサに結合されたメモリとを含む。
【００１６】
[0016]本開示のいくつかの態様は、マクロノードと１つまたは複数の他のタイプのノードとを有するセルのクラスタに属するノードによるワイヤレス通信のための装置を提供する。本装置は、概して、ユーザ機器（ＵＥ）とのランダムアクセスチャネル（ＲＡＣＨ）プロシージャの少なくとも一部分に参加することと、ＲＡＣＨプロシージャの一部分中に取得された能力情報に基づいて、クラスタ中の他のタイプのノードを検出し、それと通信するＵＥの能力を判断することとを行うように構成された少なくとも１つのプロセッサと、少なくとも１つのプロセッサに結合されたメモリとを含む。
【００１７】
[0017]本開示のいくつかの態様は、マクロノードと１つまたは複数の他のタイプのノードとを有するセルのクラスタ内のユーザ機器（ＵＥ）によるワイヤレス通信のための装置を提供する。本装置は、概して、クラスタ中の他のタイプのノードのうちの１つとのランダムアクセスチャネル（ＲＡＣＨ）プロシージャの少なくとも一部分に参加することと、ＲＡＣＨプロシージャの一部分中に、クラスタ中の他のタイプのノードを検出し、それと通信するＵＥの能力を搬送することとを行うように構成された少なくとも１つのプロセッサと、少なくとも１つのプロセッサに結合されたメモリとを含む。
【００１８】
[0018]本開示のいくつかの態様は、命令を記憶したコンピュータ可読媒体を備える、マクロノードと１つまたは複数の他のタイプのノードとを有するセルのクラスタに属するノードによるワイヤレス通信のためのプログラム製品を提供する。命令は、概して、クラスタ内のノードを一意に識別する３次同期信号（ＴＳＳ）を送信することであって、クラスタが１次同期信号（ＰＳＳ）と２次同期信号（ＳＳＳ）とによって識別される、送信することを行うためのものである。
【００１９】
[0019]本開示のいくつかの態様は、命令を記憶したコンピュータ可読媒体を備える、マクロノードと１つまたは複数の他のタイプのノードとを有するセルのクラスタ内のユーザ機器（ＵＥ）によるワイヤレス通信のためのプログラム製品を提供する。命令は、概して、３次同期信号（ＴＳＳ）を検出することであって、クラスタが１次同期信号（ＰＳＳ）と２次同期信号（ＳＳＳ）とによって識別される、検出することと、ＴＳＳを送信したクラスタ内のノードを識別することとを行うためのものである。
【００２０】
[0020]本開示のいくつかの態様は、命令を記憶したコンピュータ可読媒体を備える、マクロノードと１つまたは複数の他のタイプのノードとを有するセルのクラスタに属するノードによるワイヤレス通信のためのプログラム製品を提供する。命令は、概して、ユーザ機器（ＵＥ）とのランダムアクセスチャネル（ＲＡＣＨ）プロシージャの少なくとも一部分に参加することと、ＲＡＣＨプロシージャの一部分中に取得された能力情報に基づいて、クラスタ中の他のタイプのノードを検出し、それと通信するＵＥの能力を判断することとを行うためのものである。
【００２１】
[0021]本開示のいくつかの態様は、命令を記憶したコンピュータ可読媒体を備える、マクロノードと１つまたは複数の他のタイプのノードとを有するセルのクラスタ内のユーザ機器（ＵＥ）によるワイヤレス通信のためのプログラム製品を提供する。命令は、概して、クラスタ中の他のタイプのノードのうちの１つとのランダムアクセスチャネル（ＲＡＣＨ）プロシージャの少なくとも一部分に参加することと、ＲＡＣＨプロシージャの一部分中に、クラスタ中の他のタイプのノードを検出し、それと通信するＵＥの能力を搬送することとを行うためのものである。
【００２２】
[0022]本開示の特徴、性質、および利点は、全体を通じて同様の参照符号が同様のものを指す図面とともに、以下に記載する発明を実施するための形態を読めばより明らかになろう。
【図面の簡単な説明】
【００２３】
【図１】[0023]本開示の態様による、多元接続ワイヤレス通信システムを示す図。
【図２】[0024]本開示の態様による、通信システムのブロック図。
【図３】[0025]本開示の態様による、例示的なフレーム構造を示す図。
【図４】[0026]本開示の態様よる、例示的なサブフレームリソース要素マッピングを示す図。
【図５】[0027]本開示の態様よる、例示的なワイヤレス通信システムを示す図。
【図６】[0028]本開示の態様が実施され得る、例示的な密に展開されたネットワークを示す図。
【図７】[0029]本開示の態様よる、３次同期信号（ＴＳＳ）をもつ例示的なサブフレーム構造を示す図。
【図８】[0030]本開示の態様による、ワイヤレスノードによって実行され得る例示的な動作を示す図。
【図９】[0031]本開示の態様による、ユーザ機器（ＵＥ）によって実行され得る例示的な動作を示す図。
【図１０】[0032]本開示の態様による、ワイヤレスノードによって実行され得るランダムアクセスチャネル（ＲＡＣＨ）プロシージャの例示的な動作を示す図。
【図１１】[0033]本開示の態様による、ユーザ機器（ＵＥ）によって実行され得るＲＡＣＨプロシージャの例示的な動作を示す図。
【発明を実施するための形態】
【００２４】
[0034]本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（Ｗ−ＣＤＭＡ（登録商標））と低チップレート（ＬＣＲ）とを含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。ロングタームエボリューション（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ：3rd Generation Partnership Project）と称する団体からの文書に記載されている。ｃｄｍａ２０００は、「第３世代パートナーシッププロジェクト２」（３ＧＰＰ２：3rd Generation Partnership Project 2）と称する団体からの文書に記載されている。これらの様々な無線技術および規格は当技術分野で知られている。明快のために、本技法のいくつかの態様について以下ではＬＴＥに関して説明し、以下の説明の大部分でＬＴＥ用語を使用する。
【００２５】
[0035]シングルキャリア変調と周波数領域等化とを利用するシングルキャリア周波数分割多元接続（ＳＣ−ＦＤＭＡ）は、１つの技法である。ＳＣ−ＦＤＭＡは、ＯＦＤＭＡシステムと同様の性能と、本質的に同じ全体的な複雑さとを有する。ＳＣ−ＦＤＭＡ信号は、それの固有のシングルキャリア構造のために、より低いピーク対平均電力比（ＰＡＰＲ：peak-to-average power ratio）を有する。ＳＣ−ＦＤＭＡは、特に、より低いＰＡＰＲが送信電力効率の点でモバイル端末に多大な利益を与えるアップリンク通信において、大きい注目を引いている。それは現在、３ＧＰＰロングタームエボリューション（ＬＴＥ）、または発展型ＵＴＲＡにおけるアップリンク多元接続方式に関する実用的な前提である。
【００２６】
[0036]図１を参照すると、一実施形態による多元接続ワイヤレス通信システムが示されている。アクセスポイント１００（ＡＰ）は複数のアンテナグループを含み、あるアンテナグループは１０４と１０６とを含み、別のアンテナグループは１０８と１１０とを含み、追加のアンテナグループは１１２と１１４とを含む。図１では、アンテナグループごとに２つのアンテナのみが示されているが、アンテナグループごとにより多いまたはより少ないアンテナが利用され得る。アクセス端末１１６（ＡＴ）はアンテナ１１２および１１４と通信しており、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信しており、アンテナ１０６および１０８は、順方向リンク１２６上でアクセス端末１２２に情報を送信し、逆方向リンク１２４上でアクセス端末１２２から情報を受信する。ＦＤＤシステムでは、通信リンク１１８、１２０、１２４および１２６は、通信のための異なる周波数を使用し得る。たとえば、順方向リンク１２０は、逆方向リンク１１８によって使用される次いで異なる周波数を使用し得る。
【００２７】
[0037]アンテナの各グループ、および／またはアンテナが通信するように設計されたエリアは、しばしば、アクセスポイントのセクタと呼ばれる。本実施形態では、アンテナグループはそれぞれ、アクセスポイント１００によってカバーされるエリアのセクタ中でアクセス端末に通信するように設計される。
【００２８】
[0038]順方向リンク１２０および１２６上の通信では、アクセスポイント１００の送信アンテナは、異なるアクセス端末１１６および１２４に対して順方向リンクの信号対雑音比を改善するためにビームフォーミングを利用する。また、アクセスポイントが、ビームフォーミングを使用して、それのカバレージ中にランダムに分散されたアクセス端末に送信するほうが、アクセスポイントが単一のアンテナを介してすべてのそれのアクセス端末に送信するよりも、近隣セル中のアクセス端末への干渉が小さくなる。
【００２９】
[0039]アクセスポイントは、端末と通信するために使用される固定局であり得、アクセスポイント、ノードＢ、または何らかの他の用語で呼ばれることもある。アクセス端末は、アクセス端末、ユーザ機器（ＵＥ）、ワイヤレス通信デバイス、端末、アクセス端末または何らかの他の用語で呼ばれることもある。
【００３０】
[0040]図２は、ＭＩＭＯシステム２００における（アクセスポイントとしても知られる）送信機システム２１０と（アクセス端末としても知られる）受信機システム２５０との実施形態のブロック図である。送信機システム２１０において、いくつかのデータストリームのトラフィックデータがデータソース２１２から送信（ＴＸ）データプロセッサ２１４に与えられる。
【００３１】
[0041]一態様では、各データストリームは、それぞれの送信アンテナを介して送信される。ＴＸデータプロセッサ２１４は、各データストリームのトラフィックデータを、そのデータストリーム用に選択された特定のコーディング方式に基づいてフォーマットし、コーディングし、インターリーブして、コード化データを与える。
【００３２】
[0042]各データストリームのコード化データは、ＯＦＤＭ技法を使用してパイロットデータと多重化され得る。パイロットデータは、典型的には、知られている方法で処理されると知られているデータパターンであり、チャネル応答を推定するために受信機システムにおいて使用され得る。次いで、各データストリームの多重化されたパイロットデータおよびコード化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ２３０によって実行される命令によって判断され得る。
【００３３】
[0043]次いで、すべてのデータストリームの変調シンボルがＴＸ  ＭＩＭＯプロセッサ２２０に与えられ、ＴＸ  ＭＩＭＯプロセッサ２２０はさらに（たとえば、ＯＦＤＭの場合）その変調シンボルを処理し得る。ＴＸ  ＭＩＭＯプロセッサ２２０は、次いで、ＮT個の変調シンボルストリームをＮT個の送信機（ＴＭＴＲ）２２２ａ〜２２２ｔに与える。いくつかの実施形態では、ＴＸ  ＭＩＭＯプロセッサ２２０は、データストリームのシンボルと、シンボルの送信元のアンテナとにビームフォーミング重みを適用する。
【００３４】
[0044]各送信機２２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号を与える。次いで、送信機２２２ａ〜２２２ｔからのＮT個の被変調信号は、それぞれＮT個のアンテナ２２４ａ〜２２４ｔから送信される。
【００３５】
[0045]受信機システム２５０において、送信された被変調信号は、ＮR個のアンテナ２５２ａ〜２５２ｒによって受信され、各アンテナ２５２からの受信信号は、それぞれの受信機（ＲＣＶＲ）２５４ａ〜２５４ｒに与えられる。各受信機２５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００３６】
[0046]次いで、ＲＸデータプロセッサ２６０が、ＮR個の受信機２５４からＮR個の受信シンボルストリームを受信し、特定の受信機処理技法に基づいて処理して、ＮT個の「検出」シンボルストリームを与える。ＲＸデータプロセッサ２６０は、次いで、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理を補足するものである。
【００３７】
[0047]プロセッサ２７０は、どのプリコーディング行列を使用すべきかを定期的に判断する。プロセッサ２７０は、行列インデックス部分とランク値部分とを備える逆方向リンクメッセージを作成する。
【００３８】
[0048]逆方向リンクメッセージは、通信リンクおよび／または受信データストリームに関する様々なタイプの情報を備え得る。逆方向リンクメッセージは、次いで、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に返信される。
【００３９】
[0049]送信機システム２１０において、受信機システム２５０からの被変調信号は、アンテナ２２４によって受信され、受信機２２２によって調整され、復調器２４０によって復調され、ＲＸデータプロセッサ２４２によって処理されて、受信機システム２５０によって送信された逆方向リンクメッセージが抽出される。次いで、プロセッサ２３０は、ビームフォーミング重みを判断するためにどのプリコーディング行列を使用すべきかを判断し、抽出されたメッセージを処理する。
【００４０】
[0050]一態様では、論理チャネルは、制御チャネルとトラフィックチャネルとに分類される。論理制御チャネルは、システム制御情報をブロードキャストするためのＤＬチャネルであるブロードキャスト制御チャネル（ＢＣＣＨ）を備える。ページング制御チャネル（ＰＣＣＨ）は、ページング情報を転送するＤＬチャネルである。マルチキャスト制御チャネル（ＭＣＣＨ）は、１つまたは複数のＭＴＣＨのためのマルチメディアブロードキャストおよびマルチキャストサービス（ＭＢＭＳ）スケジューリングおよび制御情報を送信するために使用されるポイントツーマルチポイントＤＬチャネルである。概して、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、ＲＲＣ接続を有するＵＥによって使用される、専用制御情報を送信するポイントツーポイント双方向チャネルである。一態様では、論理トラフィックチャネルは、ユーザ情報を転送するための１つのＵＥに専用のポイントツーポイント双方向チャネルである専用トラフィックチャネル（ＤＴＣＨ）を備える。また、マルチキャストトラフィックチャネル（ＭＴＣＨ）は、トラフィックデータを送信するためのポイントツーマルチポイントＤＬチャネルである。
【００４１】
[0051]一態様では、トランスポートチャネルは、ＤＬとＵＬとに分類される。ＤＬトランスポートチャネルは、ブロードキャストチャネル（ＢＣＨ）と、ダウンリンク共有データチャネル（ＤＬ−ＳＤＣＨ）と、ＵＥ電力節約（ＤＲＸサイクルがネットワークによってＵＥに示される）をサポートするためのページングチャネル（ＰＣＨ）とを備え、これらのチャネルは、セル全体にわたってブロードキャストされ、他の制御／トラフィックチャネルのために使用され得るＰＨＹリソースにマッピングされる。ＵＬトランスポートチャネルは、ランダムアクセスチャネル（ＲＡＣＨ）と、要求チャネル（ＲＥＱＣＨ）と、アップリンク共有データチャネル（ＵＬ−ＳＤＣＨ）と、複数のＰＨＹチャネルとを備える。ＰＨＹチャネルは、ＤＬチャネルとＵＬチャネルとのセットを備える。
【００４２】
[0052]ＤＬ  ＰＨＹチャネルは以下を備える。
【００４３】
共通パイロットチャネル（ＣＰＩＣＨ）
同期チャネル（ＳＣＨ）
共通制御チャネル（ＣＣＣＨ）
共有ＤＬ制御チャネル（ＳＤＣＣＨ）
マルチキャスト制御チャネル（ＭＣＣＨ）
共有ＵＬ割当てチャネル（ＳＵＡＣＨ）
確認応答チャネル（ＡＣＫＣＨ）
ＤＬ物理共有データチャネル（ＤＬ−ＰＳＤＣＨ）
ＵＬ電力制御チャネル（ＵＰＣＣＨ）
ページングインジケータチャネル（ＰＩＣＨ）
負荷インジケータチャネル（ＬＩＣＨ）
[0053]ＵＬ  ＰＨＹチャネルは以下を備える。
【００４４】
物理ランダムアクセスチャネル（ＰＲＡＣＨ）
チャネル品質インジケータチャネル（ＣＱＩＣＨ）
確認応答チャネル（ＡＣＫＣＨ）
アンテナサブセットインジケータチャネル（ＡＳＩＣＨ）
共有要求チャネル（ＳＲＥＱＣＨ）
ＵＬ物理共有データチャネル（ＵＬ−ＰＳＤＣＨ）
ブロードバンドパイロットチャネル（ＢＰＩＣＨ）
[0054]一態様では、シングルキャリア波形の低いＰＡＲ（所与の時間に、チャネルは、周波数が連続するかまたは一様に離間される）特性を維持するチャネル構造が提供される。
【００４５】
[0055]本文書では、以下の略語が適用される。
【００４６】
ＡＭ  確認応答モード
ＡＭＤ  確認応答モードデータ
ＡＲＱ  自動再送要求
ＢＣＣＨ  ブロードキャスト制御チャネル
ＢＣＨ  ブロードキャストチャネル
Ｃ−  制御−
ＣＣＣＨ  共通制御チャネル
ＣＣＨ  制御チャネル
ＣＣＴｒＣＨ  コード化複合トランスポーチャネル
ＣＰ  サイクリックプレフィックス
ＣＲＣ  サイクリック冗長検査
ＣＴＣＨ  共通トラフィックチャネル
ＤＣＣＨ  専用制御チャネル
ＤＣＨ  専用チャネル
ＤＬ  ダウンリンク
ＤＬ−ＳＣＨ  ダウンリンク共有チャネル
ＤＭ−ＲＳ  復調基準信号
ＤＳＣＨ  ダウンリンク共有チャネル
ＤＴＣＨ  専用トラフィックチャネル
ＦＡＣＨ  順方向リンクアクセスチャネル
ＦＤＤ  周波数分割複信
Ｌ１  レイヤ１（物理レイヤ）
Ｌ２  レイヤ２（データリンクレイヤ）
Ｌ３  レイヤ３（ネットワークレイヤ）
ＬＩ  長さインジケータ
ＬＳＢ  最下位ビット
ＭＡＣ  媒体アクセス制御
ＭＢＭＳ  マルチメディアブロードキャストマルチキャストサービス
ＭＣＣＨ  ＭＢＭＳポイントツーマルチポイント制御チャネル
ＭＲＷ  移動受信ウィンドウ
ＭＳＢ  最上位ビット
ＭＳＣＨ  ＭＢＭＳポイントツーマルチポイントスケジューリングチャネル
ＭＴＣＨ  ＭＢＭＳポイントツーマルチポイントトラフィックチャネル
ＰＣＣＨ  ページング制御チャネル
ＰＣＨ  ページングチャネル
ＰＤＵ  プロトコルデータユニット
ＰＨＹ  物理レイヤ
ＰｈｙＣＨ  物理チャネル
ＲＡＣＨ  ランダムアクセスチャネル
ＲＢ  リソースブロック
ＲＬＣ  無線リンク制御
ＲＲＣ  無線リソース制御
ＳＡＰ  サービスアクセスポイント
ＳＤＵ  サービスデータユニット
ＳＨＣＣＨ  共有チャネル制御チャネル
ＳＮ  シーケンス番号
ＳＵＦＩ  スーパーフィールド
ＴＣＨ  トラフィックチャネル
ＴＤＤ  時分割複信
ＴＦＩ  トランスポートフォーマットインジケータ
ＴＭ  透過モード
ＴＭＤ  透過モードデータ
ＴＴＩ  送信時間間隔
Ｕ−  ユーザ−
ＵＥ  ユーザ装置
ＵＬ  アップリンク
ＵＭ  非確認応答モード
ＵＭＤ  非確認応答モードデータ
ＵＭＴＳ  ユニバーサルモバイルテレコミュニケーションズシステム
ＵＴＲＡ  ＵＭＴＳ地上波無線アクセス
ＵＴＲＡＮ  ＵＭＴＳ地上波無線アクセスネットワーク
ＭＢＳＦＮ  マルチメディアブロードキャスト単一周波数ネットワーク
ＭＣＥ  ＭＢＭＳ協調エンティティ
ＭＣＨ  マルチキャストチャネル
ＭＳＣＨ  ＭＢＭＳ制御チャネル
ＰＤＣＣＨ  物理ダウンリンク制御チャネル
ＰＤＳＣＨ  物理ダウンリンク共有チャネル
ＰＲＢ  物理リソースブロック
ＶＲＢ  仮想リソースブロック
さらに、Ｒｅｌ−８はＬＴＥ規格のリリース８を指す。
【００４７】
[0056]図３に、ＬＴＥにおけるＦＤＤのための例示的なフレーム構造３００を示す。ダウンリンクおよびアップリンクの各々の送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。
【００４８】
[0057]ＬＴＥでは、ｅＮＢは、ｅＮＢによってサポートされるセルごとにシステム帯域幅の中心１．０８ＭＨｚにおいてダウンリンク上で１次同期信号（ＰＳＳ）と２次同期信号（ＳＳＳ）とを送信し得る。ＰＳＳおよびＳＳＳは、図３に示すように、それぞれ、ノーマルサイクリックプレフィックスをもつ各無線フレームのサブフレーム０および５中のシンボル期間６および５中で送信され得る。ＰＳＳおよびＳＳＳは、セル探索および捕捉のためにＵＥによって使用され得る。ｅＮＢは、ｅＮＢによってサポートされるセルごとにシステム帯域幅にわたってセル固有基準信号（ＣＲＳ：cell-specific reference signal）を送信し得る。ＣＲＳは、各サブフレームのいくつかのシンボル期間中に送信され得、チャネル推定、チャネル品質測定、および／または他の機能を実行するためにＵＥによって使用され得る。ｅＮＢはまた、いくつかの無線フレームのスロット１中のシンボル期間０〜３中で物理ブロードキャストチャネル（ＰＢＣＨ：Physical Broadcast Channel）を送信し得る。ＰＢＣＨは何らかのシステム情報を搬送し得る。ｅＮＢは、いくつかのサブフレームにおいて物理ダウンリンク共有チャネル（ＰＤＳＣＨ：Physical Downlink Shared Channel）上でシステム情報ブロック（ＳＩＢ：system information block）などの他のシステム情報を送信し得る。ｅＮＢは、サブフレームの第１のＢ個のシンボル時間内で、物理ダウンリンク制御チャネル（ＰＤＣＣＨ：Physical Downlink Control Channel）上で制御情報／データを送信し得、ここでＢは、各サブフレームについて構成可能であり得る。ｅＮＢは、各サブフレームの残りのシンボル時間内においてＰＤＳＣＨ上でトラフィックデータおよび／または他のデータを送信し得る。
【００４９】
[0058]図４に、ノーマルサイクリックプレフィックスを用いたダウンリンクのための２つの例示的なサブフレームフォーマット４１０および４２０を示す。ダウンリンクのための利用可能な時間周波数リソースはリソースブロックに区分され得る。各リソースブロックは、１つのスロット中で１２個のサブキャリアをカバーし得、いくつかのリソース要素を含み得る。各リソース要素は、１つのシンボル期間中の１つのサブキャリアをカバーし得、実数値または複素数値であり得る１つの変調シンボルを送るために使用され得る。
【００５０】
[0059]サブフレームフォーマット４１０は、２つのアンテナを装備したｅＮＢのために使用され得る。ＣＲＳは、シンボル期間０、４、７および１１中にアンテナ０および１から送信され得る。基準信号は、送信機および受信機によってアプリオリに知られる信号であり、パイロットと呼ばれることもある。ＣＲＳは、たとえば、セル識別情報（ＩＤ）に基づいて生成された、セルに固有の基準信号である。図４では、ラベルＲaをもつ所与のリソース要素について、アンテナａからはそのリソース要素上で変調シンボルが送信され得、他のアンテナからはそのリソース要素上で変調シンボルが送信されないことがある。サブフレームフォーマット４２０は、４つのアンテナを装備したｅＮＢのために使用され得る。ＣＲＳは、シンボル期間０、４、７および１１中にアンテナ０および１から送信され得、シンボル期間１および８中にアンテナ２および３から送信され得る。サブフレームフォーマット４１０とサブフレームフォーマット４２０の両方について、ＣＲＳは、セルＩＤに基づいて判断され得る、均等に離隔したサブキャリア上で送信され得る。異なるｅＮＢは、それらのセルＩＤに応じて、同じまたは異なるサブキャリア上でそれらのＣＲＳを送信し得る。サブフレームフォーマット４１０とサブフレームフォーマット４２０の両方について、ＣＲＳのために使用されないリソース要素は、データ（たとえば、トラフィックデータ、制御データ、および／または他のデータ）を送信するため使用され得る。
【００５１】
[0060]ＬＴＥにおけるＰＳＳ、ＳＳＳ、ＣＲＳおよびＰＢＣＨは、公開されている「Evolved Universal Terrestrial Radio Access (E-UTRA); Physical Channels and Modulation」と題する３ＧＰＰ  ＴＳ  ３６．２１１に記載されている。
【００５２】
[0061]ＬＴＥにおけるＦＤＤのためのダウンリンクおよびアップリンクの各々のためにインターレース構造が使用され得る。たとえば、０〜Ｑ−１のインデックスをもつＱ個のインターレースが定義され得、ここで、Ｑは、４、６、８、１０、または何らかの他の値に等しくなり得る。各インターレースは、Ｑ個のフレームだけ離間したサブフレームを含み得る。特に、インターレースｑは、サブフレームｑ、ｑ＋Ｑ、ｑ＋２Ｑなどを含み得、ここでｑ∈｛０、．．．、Ｑ−１｝である。
【００５３】
[0062]ワイヤレスネットワークは、ダウンリンクおよびアップリンク上でのデータ送信のためにハイブリッド自動再送信（ＨＡＲＱ：hybrid automatic retransmission）をサポートし得る。ＨＡＲＱの場合、送信機（たとえば、ｅＮＢ）は、パケットが受信機（たとえば、ＵＥ）によって正しく復号されるまで、または何らかの他の終了条件に遭遇するまで、パケットの１つまたは複数の送信を送り得る。同期ＨＡＲＱの場合、パケットのすべての送信は、単一のインターレースのサブフレーム中で送られ得る。非同期ＨＡＲＱの場合、パケットの各送信は、任意のサブフレーム中で送られ得る。
【００５４】
[0063]ＵＥは、複数のｅＮＢのカバレージエリア内に位置し得る。そのＵＥをサービスするために、これらのｅＮＢのうちの１つが選択され得る。サービングｅＮＢは、受信信号強度、受信信号品質、経路損失など、様々な基準に基づいて選択され得る。受信信号品質は、信号対雑音干渉比（ＳＩＮＲ：signal-to-noise-and-interference ratio）、または基準信号受信品質（ＲＳＲＱ：reference signal received quality）、または何らかの他のメトリックによって定量化され得る。ＵＥは、ＵＥが１つまたは複数の干渉ｅＮＢからの高い干渉を観測し得る支配的干渉シナリオにおいて動作し得る。
【００５５】
例示的なリレーシステム
[0064]図５に、本開示のいくつかの態様が実施され得る例示的なワイヤレスシステム５００を示す。図示のように、ワイヤレスシステム５００は、リレーノード（ＲＮ）５０６を介してユーザ機器（ＵＥ）５０４と通信するドナー基地局（ＢＳ）５０２を含む。ＲＮ５０６はバックホールリンク５０８を介してドナーＢＳ５０２と通信し得、リレーノード５０６はアクセスリンク５１０を介してＵＥ５０４と通信し得る。
【００５６】
[0065]ＲＮ５０６は、バックホールリンク５０８を介してドナーＢＳ５０２からダウンリンクメッセージを受信し、アクセスリンク５１０を介してこれらのメッセージをＵＥ５０４に中継し得る。したがって、ＲＮ５０６は、カバレージエリアを補い、「カバレージホール」を満たすのを助けるために使用され得る。いくつかの態様によれば、ＲＮ５０６は、ＵＥ５０４には従来のＢＳのように見えることがある。他の態様によれば、いくつかのタイプのＵＥはそのようなものとしてＲＮを認識し得、それにより、いくつかの特徴が可能になり得る。
【００５７】
[0066]ＲＮ５０６は図５ではリレーＢＳとして示されているが、本明細書で提示する技法は、たとえば、ドナー基地局と他のＵＥとの間のリレーとして働くユーザ機器（ＵＥ）を含む、リレーノードとして働く任意のタイプのデバイスに適用され得ることを当業者は諒解されよう。本明細書で説明するように、リレーノードとして働くＵＥはＵＥリレー（ＵｅＮＢ）と呼ばれることがある。
【００５８】
密に展開されたネットワークのための例示的な信号設計
[0067]場合によっては、カバレージおよびサービスを拡張するために、マクロ基地局に加えて様々なノードの比較的密（dense）な展開を有することが望ましいことがある。図６に示すように。これらのノードは、（ＵＥｎＢと呼ばれることがある）リレーノードとして働くＵＥを含み得る、たとえばリモートラジオヘッド（ＲＲＨ）またはリレーノードを含み得る。場合によっては、リレーとして働くＵＥは、電力を節約するためにドーマント状態（dormant state）に入り、時々だけ（たとえば、周期的に、またはＵＥからのアップリンク信号などのイベントを検出すると、）アクティブになる（「点灯する」）ことが可能であり得る。
【００５９】
[0068]本開示は、そのような展開において有益であり得る様々な技法を提供する。そのような展開の１つの望ましい特徴は、ＵＥが、所与のセル内で、特定のノードを識別することが可能であることである。したがって、ドーマントノードさえも、検出すべきＵＥのためにダウンリンクにおいて低デューティサイクル信号を送信する必要があり得る。ＵＥは、次いで、測定報告を送り得る、たとえば、マクロｅＮＢが、報告された測定に基づいてＵＥをサービスすべき理想的なノードを選択することを可能にする。
【００６０】
３次同期信号（ＴＳＳ）
[0069]本開示の態様によれば、ノードは、クラスタ内のノードを一意に識別する３次同期信号（ＴＳＳ）を送信し得、クラスタ自体は１次同期信号（ＰＳＳ）と２次同期信号（ＳＳＳ）とによって識別される。
【００６１】
[0070]同様に、様々なノードがＵＥを検出することが有益であり得る。したがって、ＵＥは、この検出を可能にするアップリンク信号（たとえば、低デューティサイクル信号）を送信し得る。これらの信号の受信／検出は、どのノードがＵＥをサービスすべきかについての決定を行うのを助けるためにマクロに送信され得る。さらに、ノードは、その検出に基づいて、それら自体の基準信号（たとえば、ＴＳＳ、ＣＲＳ、ＣＳＩ−ＲＳなど）を送信し始めるようにトリガされ得る。
【００６２】
[0071]本開示の態様は、他の機能からの無線リソース管理（ＲＲＭ）および無線リンク管理（ＲＬＭ）の分離を可能にし得る技法を提供する。
【００６３】
[0072]場合によっては、ＲＲＭのためのクラスタベースのソリューションのための技法が提供される。場合によっては、ＰＳＳ／ＳＳＳ／ＣＲＳは、ＲＲＭのためのクラスタ情報を与え得るが、（本明細書では３次同期信号またはＴＳＳと呼ぶ）異なる基準信号および／またはＣＳＩ−ＲＳは、密に展開されたノード（たとえば、ＲＲＨ／ＵＥリレー）のためのより詳細な情報を与え得る。このようにして、ＰＳＳ／ＳＳＳ／ＴＳＳは、ＲＲＭおよびＲＬＭのために利用され得、それにより、ＣＳＩ−ＲＳが、ＣＳＩおよび干渉管理のためにのみ使用されることが可能になり得る。
【００６４】
[0073]図６に、ＴＳＳが利用され得る（クラスタ１およびクラスタ２と標示された）２つのクラスタをもつ例示的なシステムを示す。
【００６５】
[0074]図示のように、クラスタ１において、マクロセルｅＮＢはクラスタに固有のＰＳＳ１／ＳＳＳ１／ＣＲＳ１を送信し得るが、他のタイプのノードは、送信ノードに固有のＴＳＳ（たとえば、同じＴＳＳ２を送信するＣｏＭＰに関与する２つのノードをもつ、ＴＳＳ１、ＴＳＳ２）を送信する。図示のように、いくつかのノードはＰＳＳ／ＳＳＳ／ＣＲＳ／ＴＳＳを送信し得るが、他のノードはＴＳＳのみを送信し得る。
【００６６】
[0075]（たとえば、ＰＳＳ／ＳＳＳに基づくスクランブリングコードを用いて）ＴＳＳをＰＳＳ／ＳＳＳにリンクすることによって、ＵＥは、ＴＳＳのみからクラスタＩＤを導出することが依然として可能であり得る。クラスタ２に示すように、マクロｅＮＢは、一意のＴＳＳ（ＴＳＳ１、ＴＳＳ２、およびＴＳＳ３）をそれぞれ送信する異なるタイプのノードを用いて、ＰＳＳ２／ＳＳＳ２／ＣＳＲ２を送信し得る。
【００６７】
[0076]クラスタ内のノードの比較的密な展開はセルＩＤにさらなる（たとえば、４０００個程度の）要件を課し得る。場合によっては、ＣＧＩ（クローズグループインジケータ）など、何らかの他のタイプ識別子によってセルを一意に識別することが望ましいことがあり、いくつかのＵＥリレーがドーマント状態であり得るので、それらのリレーは、中継の目的で必要なときのみ起動することが望ましいことがある。
【００６８】
[0077]いくつかの態様によれば、ＴＳＳの使用は追加のセル識別を可能にし得る。本明細書で説明するように、そのようなＴＳＳは、エネルギーを節約するために比較的低い密度で送信され得る。場合によっては、ＴＳＳは、実装効率的であるようにＰＳＳ／ＳＳＳ様シーケンス構造とともに送信され得る。
【００６９】
[0078]様々な他の特徴がＴＳＳの時間リソースおよび周波数リソースについて望ましいことがある。たとえば、ＴＳＳが、中心の６つのＲＢに局所化されることが望ましいことがある。ＴＳＳは、同期ネットワークに対して最適化され得るが、依然として、非同期ネットワークに対して機能的であり得る。また、パイロット汚染を低く保ち、セルに干渉することを回避するために送信の密度を制限することが望ましいことがある。ＴＳＳの密度を低くすることにより、再利用が可能になり、効果的に干渉を低減することができる。また、効率的なＤＲＸサポートを行うことが望ましいことがある。
【００７０】
[0079]本開示の態様は、十分な時間領域再利用を可能にするＴＳＳ設計を提供し得る。たとえば、ＴＳＳの時間再利用は、干渉消去（ＩＣ）なしに（ＵＥによる）８〜１０個のセルの比較的容易な識別を可能にし得る。ＰＳＳ／ＳＳＳ／ＴＳＳは同期システムと非同期システムの両方に対して動作し得る。場合によっては、ＴＳＳは、ＰＳＳ／ＳＳＳと同じ０／５サブフレームロケーションを送信され得、（たとえば、４０ｍｓの周期性またはさらに大きいなど）低密度であり得る。
【００７１】
[0080]いくつかの多地点協調（ＣｏＭＰ：coordinated multipoint）シナリオが、ＣＲＳと、ＲＬＭ、ＲＲＭ、およびトラッキングループのためのＣＲＳ干渉消去とに依存し得る。そのような場合、ＣＳＩ−ＲＳは、一般に、ＣＳＩおよび可能な干渉のためにのみ使用される。
【００７２】
[0081]非同期ネットワーク制御およびタイミング（ＮＣＴ）の場合、時間における低減された密度（５ｍｓの密度を有することに同意した）、周波数ＴＢＣにおける密度を低減し、および／またはＰＳＳ／ＳＳＳシーケンスを維持するが、タイミングを変更することが望ましいことがある。同期ＮＣＴの場合、ＰＳＳ／ＳＳＳシーケンスは変更されないことがあるが、時間／周波数ロケーションは変更されることも変更されないこともある。
【００７３】
[0082]現在のＵＥリレー要件はネットワーク中心のソリューションまたはＵＥ中心のソリューションを含み得る。ネットワーク中心のソリューションの場合、どのＵＥ（または複数のＵＥ）がリレー動作から恩恵を受け得るかをｅＮＢが識別し得、ｅＮＢは、特定のシーケンスを用いてＲＡＣＨのためのＰＤＣＣＨ命令を送り得る。リレーＵＥは、ＲＡＣＨを検出し、強いＲＡＣＨが受信されるとオンになるか、またはどんなリレーがオンになるべきかを調整するためにＲＡＣＨ検出／測定をマクロセルに報告し得る。ＵＥ中心のソリューションの場合、ＵＥはＳＲＳなどの特定のＵＬ信号を送信し得る。ＳＲＳを検出するＵＥリレーは、強いＳＲＳが受信されると点灯することができるか、または誰をオンにすべきかを調整するためにマクロセルに報告することができるかのいずれかである。
【００７４】
[0083]マクロｅＮＢおよび他のタイプのノード（ＲＲＨおよび／またはＵＥリレーノード）をもつ比較的密な（または超高密度）ネットワークについて、様々な拡張を本明細書で提案する。たとえば、ＲＲＨまたはリレーと一緒の各マクロセルがクラスタを形成するＲＲＭのために、クラスタ化された展開が使用され得る。クラスタ間のＲＲＭは、ＰＳＳ／ＳＳＳ／ＣＲＳに基づいて処理され得る。セル識別ならびにＲＲＨまたはＵＥリレーとの関連付けは２層手法に基づく。たとえば、クラスタはＰＳＳ／ＳＳＳに関連し得るが、個々のノードは、そのノードを一意に識別するＴＳＳを送信する。
【００７５】
[0084]一例として、マクロセルは５ｍｓの周期性でＰＳＳ／ＳＳＳ／ＣＲＳを送信し得る。これにより、ＵＥが、クラスタを識別することならびにクラスタ間のＲＲＭを実行することが可能になる（およびＲｅｌ１１ＮＣＴ決定に準拠し得る）。各ＲＲＨまたはリレーノードは、本明細書では概してＴＳＳ（３次同期信号）と呼ぶ、それの識別のための一意の信号をさらに送信し得る。
【００７６】
[0085]ＴＳＳは、（たとえば、ＰＳＳ／ＳＳＳの関数として）各クラスタにリンクされ得る。ＰＳＳ／ＳＳＳ／ＴＳＳを組み合わせて、ＵＥは超高密度クラスタ中の個々のセルを一意に識別し得る。場合によっては、ＰＳＳ／ＳＳＳ／ＴＳＳの使用は後方互換性があり得る。第１の能力のＵＥ（規格の以前のバージョンに準拠するいわゆる「レガシーＵＥ」）はＰＳＳ／ＳＳＳにおいて停止し得るが、第２の能力のＵＥ（「非レガシーＵＥ」）はＴＳＳを使用し得る。ＴＳＳは、ＮＣＴまたはレガシーキャリアのためにならびにＣｏＭＰ動作のために使用され得る。
【００７７】
[0086]場合によっては、新しいＲＡＣＨフォーマットが自律セル関連付けを助け得る。超高密度展開の場合、はるかに小さいセル半径により、長いＲＡＣＨシーケンスを有する必要がないことがある。しかしながら、非レガシーＵＥ（たとえば、ＣｏＭＰおよび／または超高密度展開をサポートするＵＥ）に対してレガシーＵＥに異なるプロシージャが適用され得るように、ＵＥの能力を早く識別する必要があり得る。
【００７８】
[0087]各クラスタ、たとえばマクロセルからのＳＩＢまたはＭＩＢのうちの１つの中で、新しいＲＡＣＨフォーマットのサポートがブロードキャストされ得る。ＲＡＣＨフォーマットの構成はＲＲＨまたはリレーノードの一意のＩＤにさらにリンクされ得る。ＵＥは、Ｍｓｇ１のための特定の構成をもつ新しいＲＡＣＨフォーマットを使用し得る。特定の構成をもつＭｓｇ１が検出されると、ＲＲＨまたはＵＥリレーは、ＵＥがＲＡＣＨしようと試みているセルを直ちに知り、ネットワーク介入なしにＭｓｇ２などで応答することができる。これは、ＲＲＨ／リレーノード識別およびＵＥ関連付けの自律モードである。
【００７９】
[0088]場合によっては、ＣＳＩ−ＲＳがＣＳＩ測定のために最初に導入されるので、セル関連付けのためのＣＳＩ−ＲＳ使用は制限され得る。それは、ＲＬＭ、ＯＬ  ＰＣの経路損失など、多くの他の新しい機能を処理するように設計されなかった。したがって、拡張信号は、ＣＳＩからＲＬＭおよびＯＬＰＣの機能を分離するのを助け得る。この場合、ＣＳＩ−ＲＳは、ＣＳＩ測定および干渉測定のためにのみ使用され得る。
【００８０】
[0089]上記で説明したように、クラスタ化されたＲＲＭ手法は、ＴＳＳに基づくセル関連付けを利用し得る。ＲＲＨの場合、ＴＳＳは、新しいＵＥのためのさらなるセル関連付けを可能にするために送信され得る。ＰＳＳ／ＳＳＳ／ＣＲＳが検出されると、ＵＥはＲＲＭならびにトラッキングループのための正しいクラスタを見つける。データ接続の場合、新しいＵＥはＴＳＳおよびＲＡＣＨ構成をさらに検出し得る。強いＴＳＳを検出すると、ＵＥは最も近いＴＳＳに直接ＲＡＣＨし得る。この手法は、意図されたセルに対して比較的正確なＵＬ電力制御を行い得、すべてＵＥを処理するためにマクロセルのための輻輳を低減することもある。
【００８１】
[0090]ドーマント／エネルギー節約モードにあるＵＥリレーはＴＳＳを送信する必要がないことがあり、ユーザをサービスすることを意図するＵＥリレーのみが低デューティサイクルＴＳＳを送信し得る。アクティブ送信モードにあるＵＥリレーは、ＣＳＩおよびＤＭ−ＲＳベースのデータ送信のためのＣＳＩ−ＲＳをさらに送信する。場合によっては、リレーは、たとえば、さらなるユーザが許可されるかどうかを示すことによって、ＴＳＳによる負荷情報をシグナリングする必要があり得る。
【００８２】
[0091]場合によっては、本明細書で提供するＴＳＳ設計は、セル識別、セル探索のためのＲＳＲＰ測定、および／またはＯＬ  ＰＣのためのＰＬ測定など、様々な機能を与え得る。ＴＳＳ時間／周波数ロケーションは周波数（たとえば、中心の６つのＲＢ）において局所化され得る。ＴＳＳはまた、効率的なセル探索および電力節約を可能にするためにサブフレーム０／５中で送信され得る。
【００８３】
[0092]ＴＳＳ密度に関して、ＲＳＲＰ／ＰＬ測定の場合、それは、ＰＳＳ／ＳＳＳよりも低いデューティサイクルで、たとえば４０ｍｓごとに送信され得る。それはまた、イベントトリガ送信であり得る、すなわち、リレーノードは、送信する必要があるとき（たとえば、ＳＲＳ送信に基づいてＵＥを検出すると）、ＴＳＳのみを送信する。周波数領域密度は、（たとえば７２個のトーン程度の）ＰＳＳ／ＳＳＳの密度と同様であり得る。
【００８４】
[0093]場合によっては、パイロット汚染および追加のセル識別を回避／低減するようにＴＳＳ時間再利用が設計され得る。中心の６つのＲＢ、サブフレーム０および５の場合、合計１４＊２＝２８個のシンボルがある。ＰＳＳ／ＳＳＳ／ＰＢＣＨを除いて、２０個のシンボルがある。したがって、各無線フレームにおいて、ＴＳＳのロケーションのための２０個の選択肢がある。このシンボルロケーションは、ＴＳＳの検出のために干渉低減のための比較的大きい再使用係数を与え得る。シンボルロケーションは、リレーノードのための一意のＩＤ、たとえば８ｘの必要とされるセルＩＤ識別情報を搬送するためにＰＳＳ／ＳＳＳにさらに結合され得る。
【００８５】
[0094]ＴＳＳ割振りのために様々なオプションが利用可能である。図７に、ＴＳＳ割振りの一例による例示的なフレーム構造を示す。
【００８６】
[0095]たとえば、図７に示すように、ＴＳＳは、ＰＳＳ／ＳＳＳ／ＰＢＣＨによって使用されないサブフレーム０または５中のシンボルのうちの１つの上で送信され得る。これはＰＳＳ／ＳＳＳと同じ密度を与え得る。別の例として、ＮＣＴの場合、アンテナポート２および３が決して使用されないので、ＣＲＳはトラッキングループのためにのみ使用され得る。したがって、ＴＳＳは、アンテナポート２および３上に画定されたトーン上で送信され得る。これは現在のＲｅｌ８の構造を最大限に再利用し得る。これは、ＰＳＳ／ＳＳＳ密度よりも小さいが、ＰＳＳ／ＳＳＳとともに多数のセルＩＤを搬送するのに十分な、４８個のトーンを与え得る。一般に、干渉を回避するために任意のＣＲＳシンボルの衝突を回避することが望ましいことがある。
【００８７】
[0096]図７に示すように、異なるノードのためのＴＳＳは、異なるロケーションにおいて送信され得る。場合によっては、特定のノードを示す、送信するために使用されるリソースの特定のロケーションを用いて、同じシーケンスが送信され得る。
【００８８】
[0097]図８に、図７に示したような、ＴＳＳを利用するワイヤレスノードによって実行され得る例示的な動作８００を示す。たとえば、ワイヤレスノードは、マクロノードと１つまたは複数の他のタイプのノードとを有するセルのクラスタに属するノードであり得る。
【００８９】
[0098]動作８００は、８０２において、クラスタ内のノードを一意に識別する３次同期信号（ＴＳＳ）を判断することによって開始し、クラスタは１次同期信号（ＰＳＳ）と２次同期信号（ＳＳＳ）とによって識別される。８０４において、ノードはＴＳＳを送信する。
【００９０】
[0099]図９に、ＴＳＳを検出するためにワイヤレスノードによって実行され得る例示的な動作９００を示す。言い換えれば、動作９００は、図８に示した動作を補足すると見なされ得、たとえば、マクロノードと１つまたは複数の他のタイプのノードとを有するセルのクラスタ内のユーザ機器（ＵＥ）によって実行され得る。
【００９１】
[0100]動作９００は、９０２において、３次同期信号（ＴＳＳ）を検出することによって開始し、クラスタは１次同期信号（ＰＳＳ）と２次同期信号（ＳＳＳ）とによって識別される。９０４において、ＵＥは、ＴＳＳを送信したクラスタ内のノードを識別する。
【００９２】
[0101]ＴＳＳシーケンス設計に関して、ＴＳＳは、ＰＳＳ／ＳＳＳと同様のＣｈｕシーケンスまたはバイナリシーケンスを使用することができる。場合によっては、さらなる識別を行うために、異なるシフトまたはバイナリシーケンスが使用され得る。さらなる識別を行うために、異なるスクランブリングコードをもつＳＳＳも使用され得る（およびスクランブリングコードはＰＳＳ／ＳＳＳまたはセルＩＤまたはグローバルセルＩＤの関数であり得る）。
【００９３】
[0102]ＲＳＲＰ測定のための密度に関して、ＵＥが２００ｍｓのウィンドウ内で４０ｍｓごとに起動した場合、ＣＳＩ−ＲＳのための現在の密度は４０ｍｓごとに６つのトーンである。ＵＥが４０ｍｓごとに１つのＳＦを測定した場合、ＣＲＳの現在の密度は、４０ｍｓごとにアンテナ当たり４８個のトーンである。ＴＳＳからの４０ｍｓごとの７２個または４８個のトーンの密度は、ＣＳＩ−ＲＳよりも著しく高く、ＣＲＳに匹敵し、したがって、ＯＬ  ＰＣおよびＲＬＭのための正確なＲＳＲＰ測定値を生成することができる。
【００９４】
[0103]ＴＳＳは、マクロと、ＲＲＨと、ＵＥリレーとを含む一部または全部のセル中で送信され得るが、異なるレートで送信され得る。たとえば、ＲＲＨの場合、（電力はＵＥリレーほど大きい問題でないことがあるので）周期的な送信が意味をなし得る。時間領域周期性は、たとえばＲＬＭ要件を満たすために、必要に応じて構成可能であり得る。ＵＥリレーの場合、それは、必要に応じてのみ送信されるべきである。ＵＥリレーが任意のＵＥをサービスしている場合、それは、ＲＬＭを維持するために周期的にＴＳＳを送信すべきである。任意のＵＥをサービスさせないＵＥリレーの場合、それは、たとえば、はるかに低減された周期性でＴＳＳを送信し、および／または何らかのＵＬ信号がＵＥから受信された場合のみＴＳＳを送信するために他のオプションを有し得る。
【００９５】
[0104]ＴＳＳの形態と見なされ得るＤＬセル識別のための他のオプションも利用可能である。たとえば、増加したアンテナポートおよび密度をもつＣＳＩ−ＲＳベース（ＣＳＩ−ＲＳの密度の増加はＴＳＳの特殊形態と見なされ得る）。位置ＲＳベース、システム情報ブロック（ＳＩＢ）と同様のより詳細な情報を用いた「ＳＩＢ−ｌｉｔｅ」送信、またはいくつかのトーンに集中する電力をもつ「ビーコン」信号の任意の形態もオプションである。
【００９６】
密に展開されたネットワークのための例示的なランダムアクセスチャネル（ＲＡＣＨ）プロシージャ
[0105]場合によっては、ＲＲＨおよびリレーＵＥなど、他のタイプのノードとの通信が可能であるＵＥのために、特殊ＲＡＣＨフォーマットが使用され得る。たとえば、特殊ＲＡＣＨフォーマットは、ＵＥのそのような能力を示すために使用され得る。たとえば、Ｍｓｇ１によって搬送されるＵＥ能力に応じて、ネットワーク応答が異なり得る。リレー／ＣｏＭＰ対応ＵＥはリレー／ＲＲＨによって処理され得るが、他のＵＥはマクロによって処理され得る。
【００９７】
[0106]場合によっては、現在のＲＡＣＨと同様のフォーマットが使用され得るが、Ｍｓｇ３中で、ＵＥの能力情報が明らかにされ得る。ＵＥのＲＡＣＨプロシージャは、マクロによって処理され、次いで、ＲＲＨ／Ｒｅｌａｙ接続をセットアップし得る。
【００９８】
[0107]図１０に、新しいＲＡＣＨプロシージャを利用するワイヤレスノードによって実行され得る例示的な動作１０００を示す。たとえば、ワイヤレスノードは、マクロノードと１つまたは複数の他のタイプのノードとを有するセルのクラスタに属するノードであり得る。
【００９９】
[0108]動作１０００は、１００２において、ユーザ機器（ＵＥ）とのランダムアクセスチャネル（ＲＡＣＨ）プロシージャの少なくとも一部分に参加することによって開始する。１００４において、ワイヤレスノードは、ＲＡＣＨプロシージャの一部分中に取得された能力情報に基づいて、クラスタ中の他のタイプのノードを検出し、それと通信するＵＥの能力を判断する。
【０１００】
[0109]図１１に、ＴＳＳを検出するためにワイヤレスノードによって実行され得る例示的な動作１１００を示す。言い換えれば、動作１１００は、図１０に示した動作を補足すると見なされ得、たとえば、マクロノードと１つまたは複数の他のタイプのノードとを有するセルのクラスタ内のユーザ機器（ＵＥ）によって実行され得る。
【０１０１】
[0110]動作１１００は、１１０２において、クラスタ中の他のタイプのノードのうちの１つとのランダムアクセスチャネル（ＲＡＣＨ）プロシージャの少なくとも一部分に参加することによって開始する。１１０４において、ＵＥは、ＲＡＣＨプロシージャの一部分中に、クラスタ中の他のタイプのノードを検出し、それと通信するＵＥの能力を搬送する。
【０１０２】
[0111]場合によっては、ＵＥリレーとマクロとの間のバックホール通信を可能にするために、メッセージについてＲＡＣＨプロシージャのためのタイムラインの変化があり得る。たとえば、ＵＥは、すべてのリレーノードによって受信されるべきＭｓｇ１を送り得る。リレーノードは検出ならびに信号強度をマクロに伝達し得、マクロは、どのリレーをサービスすべきかを決定する。Ｍｓｇ２がリレーから応答された場合、それは何らかの遅延を有し得る。
【０１０３】
[0112]新しいＲＡＣＨフォーマットの場合、たとえば、低密度要件に基づく短縮フォーマットを含む様々な設計オプションがあり、そのフォーマットは、６つのＲＢよりも狭い帯域幅を有し得る。
【０１０４】
[0113]上記で説明した方法の様々な動作は、（１つまたは複数の）ハードウェアおよび／またはソフトウェア構成要素ならびに／あるいは（１つまたは複数の）モジュールの任意の好適な組合せによって実行され得る。
【０１０５】
[0114]開示したプロセス中のステップの特定の順序または階層は、例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１０６】
[0115]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０７】
[0116]さらに、本明細書で開示する実施形態に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈すべきではない。
【０１０８】
[0117]本明細書で開示する実施形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０９】
[0118]本明細書で開示する実施形態に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【０１１０】
[0119]開示する実施形態の前述の説明は、当業者が本開示を実施または使用することができるようにするために与えたものである。これらの実施形態への様々な修正は当業者には容易に明らかであり、本明細書で定義した一般原理は、本開示の趣旨または範囲から逸脱することなく他の実施形態に適用され得る。したがって、本開示は、本明細書で示した実施形態に限定されるものではなく、本明細書で開示する原理および新規の特徴に一致する最も広い範囲を与られるべきである。
【図１】
2015519815.tif 000003
【図２】
2015519815.tif 000004
【図３】
2015519815.tif 000005
【図４】
2015519815.tif 000006
【図５】
2015519815.tif 000007
【図６】
2015519815.tif 000008
【図７】
2015519815.tif 000009
【図８】
2015519815.tif 000010
【図９】
2015519815.tif 000011
【図１０】
2015519815.tif 000012
【図１１】
2015519815.tif 000013
【国際調査報告】
2015519815.tif 000014
2015519815.tif 000015
2015519815.tif 000016
2015519815.tif 000017
2015519815.tif 000018
2015519815.tif 000019